(57)【要約】      （修正有）【課題】使用済みの紙袋を再利用して紙袋に施されたデザインを有する使い捨て可能な箱カバーを提供する。【解決手段】収納する箱の底面に対応した形状の底面を有すると共に、表面にデザインが施された紙袋であって、該紙袋を前記箱の高さより高い位置で上下に切断して得られる下方の底面を有する袋部と、該袋部に収納される前記箱とからなり、前記袋部の収納した箱より高い部分を箱の上面に沿って折り曲げて箱カバーとしたことを特徴とする。【選択図】図１
0003163022.tif 000002
【実用新案登録請求の範囲】
【請求項１】
収納する箱の底面に対応した形状の底面を有すると共に、表面にデザインが施された紙袋であって、該紙袋を前記箱の高さより高い位置で上下に切断して得られる下方の底面を有する袋部と、
該袋部に収納される前記箱とからなり、
前記袋部の収納した箱より高い部分を箱の上面に沿って折り曲げて箱カバーとしたことを特徴とする紙袋を再利用した箱カバー。
【請求項２】
紙袋を前記箱の高さに、前記箱の上面の横幅の長さの略半分を加えた長さの位置で上下に切断し、
切断後に底部を有する下側の袋部で、収納した箱より高い部分の一対の側面部を内側に曲げ前記箱の略中央で端面が対向するように折り曲げて、前記箱の中央に形成された取出口と前記対向する側面部の間に形成される隙間が整合するように形成されてなることを特徴とする請求項１に記載の紙袋を再利用した箱カバー。
【考案の詳細な説明】
【技術分野】
【０００１】
この考案は、紙袋を再利用した箱カバーに関する。
【背景技術】
【０００２】
紙製の手提げ袋にはデザインが優れたものやカラフルなものが多いが、使用後には廃棄していた。
一方、ティッシュペーパーや、ロール紙、フィルムパックなどの収納箱には、布製などの専用のカバーが用いられているが、デザインの種類が乏しく、また高価でもあった。
実用新案登録第３０７５２６３号では、広告用の紙（リーフレット）をティッシュボックスの大きさに対応するように三つ折りにして嵌め込み、紐付きのハドメなどで固定することで、本来廃棄するはずの広告用の紙をティッシュボックスカバーとして再利用できる構造が開示されている。
しかし、この場合、カバーは略筒状に折り曲げられてティッシュボックスに嵌め込まれるので、ティッシュボックスの端面側を覆うことができない。
また、端面にはティッシュボックスの端面が露出しているので、カバーの全面を広告用の紙のデザインで統一を図ることができない。
また、実開昭６３−１７８５２９号の折り畳式くず入れ付きティッシュケースでは、ガセット状の紙袋のマチ側にティッシュ取出口を穿設し、マチ側の側壁にティッシュボックスを立てて配置した構成が開示されている。
しかし、上記構成では紙袋全体を使用するので、ティッシュボックスカバーとしてコンパクトに使用することができない。
【先行技術文献】
【特許文献】
【０００３】
【特許文献１】実用新案登録第３０７５２６３号公報
【特許文献２】実開昭６３−１７８５２９号公報
【考案の概要】
【考案が解決しようとする課題】
【０００４】
この考案は、上記事情に鑑みて創案されたものであって、その主たる課題は、使用済みの紙袋を、収納対象となる箱の高さより高い位置で切断して袋部とし、該袋部内に前記箱を収納して、箱より高い周側部分を折り曲げて箱の上面を覆う箱カバーとすることで、前記使用済みの紙袋に施されたデザインがそのまま箱カバーのデザインとなる箱カバーを提供することにある。
【課題を解決するための手段】
【０００５】
上記課題を解決するために、請求項１の考案では、
収納する箱の底面に対応した形状の底面を有すると共に、表面にデザインが施された紙袋であって、該紙袋を前記箱の高さより高い位置で上下に切断して得られる下方の底面を有する袋部と、
該袋部に収納される前記箱とからなり、
前記袋部の収納した箱より高い部分を箱の上面に沿って折り曲げて箱カバーとしたことを特徴とする。
請求項２の考案では、
紙袋を前記箱の高さに、前記箱の上面の横幅の長さの略半分を加えた長さの位置で上下に切断し、
切断後に底部を有する下側の袋部で、収納した箱より高い部分の一対の側面部を内側に曲げて前記箱の略中央で端面が対向するように折り曲げて、前記箱の中央に形成された取出口と前記対向する側面部の間に形成される隙間が整合するように形成されてなることを特徴とする。
折り曲げた個所は、接着したり、掛止めたりしてもよい。
紙袋が手提げ袋の場合には、手提げ用の紐を用いてカバーの折り曲げ個所を拘束することもできる。
【考案の効果】
【０００６】
使用済みの紙袋を、その表面に施されたデザインが箱の全面を包む箱カバーのデザインとして利用でき、使用後には使い捨てにしてもよい。
各種紙袋や手提げ袋に表現される多彩なデザインを利用することができるので、使用者の気に入ったデザインを再利用することができ、美感に優れた趣味性の高い箱カバーを廉価に得ることができる。
【図面の簡単な説明】
【０００７】
【図１】紙袋の一例を示す斜視図である。
【図２】半切された袋部に箱の一例として示すティッシュボックスを収納した状態の斜視図である。
【図３】袋部のティッシュボックス上面の折り曲げの一例を示す斜視図である。
【図４】袋部のティッシュボックス上面の折り曲げの他の一例を示す斜視図である。
【図５】袋部の折り曲げ個所を拘束する一例を示す斜視図である。
【図６】袋部の折り曲げ個所を係止する一例を示す斜視図である。
【考案を実施するための形態】
【０００８】
以下に、この考案の紙袋を再利用した箱カバーをティッシュボックス用のカバーに適用した好適実施例について図面を参照しながら説明する。
【実施例１】
【０００９】
［紙袋］  
紙袋１は、図１に示すように、収納するティッシュボックス１０の底面に対応した形状の底面を有する紙袋であって、その表面の一部又は全部にデザイン(図示省略)が施されたものである。
【００１０】
即ち、紙袋１は、その底面が、収納するティッシュボックス１０の底面の外径とほぼ同一ないしやや大きい程度のものを使用することが好ましい。
紙袋１は、マチを有するガセット式で、手提げ１Ａは付いていてもよいし、手提げは無くてもよい。
また、マチ部分に折曲げ線を有する折畳式の紙袋であってもよいし、折畳式で無くてもよい。
【００１１】
［ティッシュボックス］
箱の一例を示すティッシュボックス１０は、断面矩形の紙箱からなっており、上面の中央に略楕円形の穴１１が形成され、該穴１１に内蔵されたティッシュペーパＴを引き出すための取出口としての直線状のスリット１２を有するフィルム１３が貼り付けられた公知構成からなっている。
【００１２】
［袋部］
上記紙袋１は、前記ティッシュボックス１０の高さより高い位置で、上下に切断され、切断して得られる下方の底面を有する袋部２をカバーとして使用する。
図１に示すＬは、切断想定位置を示すものであり、紙袋１には表示しない方がデザイン性を損なわない。
【００１３】
本実施例で、上記切断想定位置Ｌは、前記ティッシュボックス１０の高さＨ１に、前記ティッシュボックス１０の上面の横幅の長さから取出口の横幅の長さを引いた残りの長さＨ２の略半分を加えた長さの位置（Ｈ１＋Ｈ２／２）に設定される。
ここでティッシュボックス１０のティッシュペーパーの取出口はスリット１２からなるので、Ｈ２はティッシュボックス１０の上面の横幅の長さとほぼ等しいが、取出口の横幅が広ければその分を減算してＨ２の長さとすることが好ましい。
【００１４】
図２には、上記袋部２にティッシュボックス１０を収納した状態を示す。
ティッシュボックス１０は袋部２に収納するだけで、上面を除く全ての面が袋部２によって覆われる。
そして、袋部２で、収納したティッシュボックス１０より高い上部四周側部分３〜６は、ティッシュボックス１０の上面に沿って折り曲げられて箱カバー２０が完成する。
【００１５】
図３に示す箱カバー２０は、袋部２の長手方向の一対の上部周側部分３、４を内向きに略直角に折り曲げる。
この際に、折り曲げられた上部周側部分３、４の折曲げ方向の先端部は、ティッシュボックス１０の上面で、前記スリット１２の上方位置で隙間Ｓを介して対峙する。
【００１６】
また、上記のように折り曲げられた上部周側部分３、４の延長部分となる端面側の上部側周部分５、６は、一緒に折り曲げられて外方へ略水平に延びる三角形状となるので、これを１８０度折り曲げて、前記上部周側部分３、４の上に折り重ねる。
【００１７】
これにより、前記隙間Ｓは左右両端が狭まって前記スリット１２に対応するので、ティッシュペーパーＴをスリット１２から隙間Ｓを通って外部へ引き出すことができる。
【実施例２】
【００１８】
図４に示す箱カバー２０は、図３とは逆に端面側の上部側周部分５、６を三角形となるようにＶ状の折曲線を設けて内向きに直角に折り曲げ、その上に長手方向の上部周側部分３、４を内向きに直角に折り曲げて重ねる。
【００１９】
これにより、同様に上部周側部分３、４の折曲げ方向の先端部は、ティッシュボックス１０の上面で、前記スリット１２の上方位置で隙間Ｓを介して対峙し、その両端側は三角形状に折り曲げられた上部側周部分５、６で塞がれる。
これにより、前記隙間Ｓは左右両端が狭まって前記スリット１２に対応するので、ティッシュペーパーＴをスリット１２から隙間Ｓを通って外部へ引き出すことができる。
【実施例３】
【００２０】
箱カバー２０には折重ね部分が生じるので、その部分をテープや接着材で接着したり、紐やバンド７で掛止めてもよい。
図５に示す箱カバー２０は、前記実施例１の箱カバー２０の左右両端側の折重ね部分を、紐やバンド７で掛け止めた別の実施例を示す。
これにより、折重ね部分が開くことがなく、前記隙間Ｓの形状を保持することができる。
【００２１】
図示例では実施例１の箱カバー２０を例示したが、実施例２の箱カバー２０の左右両端側の折重ね部分を、紐やバンド７で掛け止めてもよい。
また、紐は、例えば切断した手提げ袋の手提げ１Ａの部分を分離して再利用したものであってもよい。
【実施例４】
【００２２】
箱カバー２０の折重ね部分は、相互に掛止める掛止部を設けてもよい。
図６に示す箱カバー２０は、前記実施例１の箱カバー２０の左右両端側の折重ね部分を、掛け止めた異なる実施例を示す。
【００２３】
例えば、三角形状に折された端面側の上部側周部分５、６の先端を内側に１８０度折り曲げて爪部８とする。
一方、長手方向の上部周側部分３、４の折り曲げ方向の先端で隙間Ｓを形成する縁部で、前記爪部８に対応する位置に、一対の切欠部９ａ、９ｂを形成する。
【００２４】
そして、端面側の上部側周部分５、６を折曲げる際に、前記爪部８を一対の切欠部９ａ、９ｂに掛止めることで、折り重ね部分を掛止めることができる。
その他、掛止構造は上記実施例に限定されず、適宜に公知の掛止構造を用いてもよい。
【００２５】
上記実施例では、箱の一例としてティッシュボックスを例示したが、ポリ袋、キッチンペーパー、マスク、ビニール手袋等の各種物品を収納した取出口のついた箱であってもよい。
その他要するにこの発明の要旨を変更しない範囲で種々設計変更しうること勿論である。
【符号の説明】
【００２６】
１      紙袋
１Ａ    手提げ
２      袋部
３、４  長手方向の上部周側部分
５、６  端面側の上部側周部分
７      紐又はバンド
８      爪部
９ａ、９ｂ  切欠部
１０    ティッシュボックス
１１    穴
１２    スリット
１３    フィルム
２０    箱カバー
Ｌ    切断想定位置
Ｓ    取出口の一例を示すスリット
【図１】
0003163022.tif 000003
【図２】
0003163022.tif 000004
【図３】
0003163022.tif 000005
【図４】
0003163022.tif 000006
【図５】
0003163022.tif 000007
【図６】
0003163022.tif 000008